(57)【特許請求の範囲】
【請求項１】
所定の積層方向に積層された状態で包装袋に収容されるとともに前記包装袋に設けられた取出口から前記積層方向に略垂直な方向に取り出され、着用者が着用する外装物品の内側に取り付けられて前記着用者からの排泄物を受ける複数の吸収性物品の積層体であって、
前記複数の吸収性物品のそれぞれが、
吸収体、前記吸収体の着用者側である内側の主面を覆うトップシート、および、前記吸収体の外側の主面を覆うバックシートを有する本体部と、
前記本体部の外側に設けられるとともに着用者に着用される外装物品の内側に止着される略矩形状の面ファスナと、
を備え、
前記トップシートが前記バックシートの内側に位置する２つ折りの状態で折り目が前記包装袋の前記取出口側に向いており、
前記面ファスナが、エッジ近傍を除いて粘着剤により前記本体部に接着され、前記面ファスナの幅方向の両端部が前記本体部上において露出しており、前記包装袋に収容された状態における前記両端部の前記取出口側の部位が、角部が除去された形状とされることを特徴とする複数の吸収性物品の積層体。
【請求項２】
請求項１に記載の複数の吸収性物品の積層体であって、
前記面ファスナが、前記本体部の前記幅方向に垂直な長手方向の少なくとも一方の端部に設けられることを特徴とする複数の吸収性物品の積層体。
【請求項３】
請求項１または２に記載の複数の吸収性物品の積層体であって、
前記バックシートが、撥水性または不透液性のプラスチックフィルムであることを特徴とする複数の吸収性物品の積層体。
【請求項４】
請求項３に記載の複数の吸収性物品の積層体であって、
前記バックシートが、目付が１０ｇ／ｍ２以上５０ｇ／ｍ２以下の透湿性プラスチックフィルムであることを特徴とする複数の吸収性物品の積層体。
【請求項５】
請求項１ないし４のいずれかに記載の複数の吸収性物品の積層体であって、
前記面ファスナの前記両端部において、前記取出口側の前記部位の輪郭が外側に凸となる曲線であることを特徴とする複数の吸収性物品の積層体。
【請求項６】
請求項１ないし５のいずれかに記載の複数の吸収性物品の積層体であって、
前記面ファスナの前記両端部の前記取出口側とは反対側の部位が、角部が除去された形状とされることを特徴とする複数の吸収性物品の積層体。
【請求項７】
請求項１ないし６のいずれかに記載の複数の吸収性物品の積層体であって、
前記本体部の前記長手方向の両側の端部のそれぞれに前記面ファスナが設けられることを特徴とする複数の吸収性物品の積層体。
【発明の詳細な説明】
【技術分野】
【０００１】
本発明は、着用者が着用する外装物品の着用者側に取り付けられて前記着用者からの排泄物を受ける吸収性物品に関する。
【背景技術】
【０００２】
使い捨ておむつでは、少量の排尿時であってもおむつ全体を交換する必要があるため、使用者にとって経済的な負担が大きくなってしまう。そこで、従来より、使い捨ておむつの内側に安価な補助吸収具（いわゆる、尿取りパッド等）を取り付けて着用し、少量の排尿時には補助吸収具のみを交換することが行われている。
【０００３】
このような補助吸収具を使い捨ておむつに取り付ける際には、補助吸収具の裏面側（すなわち、着用者とは反対側）に設けられた粘着テープや面ファスナ等を、使い捨ておむつの着用者側に止着することが行われている。例えば、特許文献１では、表面にフック部材が多数形成された面ファスナを、補助パッドの中心部から長手方向に僅かに（例えば、５ｍｍ〜４０ｍｍ）ずれた位置に設けることにより、補助パッドの中央部分の捩れを防止して確実に排尿器官の近傍に位置させる技術が開示されている。
【０００４】
また、特許文献２では、縦方向（長手方向）の両端部に粘着テープ、または、メカニカルファスナのフック部材やループ部材等の止着部が設けられたパッドが開示されており、当該パッドは１つずつ包装用個袋に収容される。当該パッドでは、パッド側方において一対の防漏堤を形成するシートがパッドの裏面側へと回り込んでおり、当該シートにより止着部の横方向（幅方向）の両端部が覆われている。
【特許文献１】特開平９−２７６３１２号公報
【特許文献２】特開２００１−１４５６６２号公報
【発明の開示】
【発明が解決しようとする課題】
【０００５】
ところで、止着部として粘着テープを利用すると、特許文献１においても指摘されているように、温度変化や径時変化により粘着力が低下してしまったり、パッドを使い捨ておむつから取り外した際に粘着剤の一部が使い捨ておむつに残ってしまうことがある。また、特許文献２のパッドのように止着部の両端部が防漏堤を形成するシート等により覆われる構造とすると、パッドの製造工程において、シートをパッドの裏面側に回り込ませる工程が必要となり、製造工程が複雑化するとともに製造装置のコストが増加してしまう。
【０００６】
そこで、止着部として面ファスナを利用し、吸収性物品の構造を面ファスナの両端部が露出したものとすると、特許文献２のパッドのように個別包装される場合には問題にならないが、複数の吸収性物品が積層された状態で包装袋等に収容されている場合、一の吸収性物品を取り出す際に当該吸収性物品の面ファスナが隣接する他の吸収性物品のバックシートに引っ掛かって面ファスナが剥がれてしまったり、隣接する吸収性物品のバックシートが破れてしまったりする恐れがある。
【０００７】
本発明は、上記課題に鑑みなされたものであり、他の吸収性物品と共に積層された状態で包装体に収容される吸収性物品の包装体からの取り出し時に、面ファスナの破損、および、他の吸収性物品の損傷を防止することを目的としている。
【課題を解決するための手段】
【０００８】
請求項１に記載の発明は、所定の積層方向に積層された状態で包装袋に収容されるとともに前記包装袋に設けられた取出口から前記積層方向に略垂直な方向に取り出され、着用者が着用する外装物品の内側に取り付けられて前記着用者からの排泄物を受ける複数の吸収性物品の積層体であって、前記複数の吸収性物品のそれぞれが、吸収体、前記吸収体の着用者側である内側の主面を覆うトップシート、および、前記吸収体の外側の主面を覆うバックシートを有する本体部と、前記本体部の外側に設けられるとともに着用者に着用される外装物品の内側に止着される略矩形状の面ファスナと、を備え、前記トップシートが前記バックシートの内側に位置する２つ折りの状態で折り目が前記包装袋の前記取出口側に向いており、前記面ファスナが、エッジ近傍を除いて粘着剤により前記本体部に接着され、前記面ファスナの幅方向の両端部が前記本体部上において露出しており、前記包装袋に収容された状態における前記両端部の前記取出口側の部位が、角部が除去された形状とされる。
【０００９】
請求項２に記載の発明は、請求項１に記載の複数の吸収性物品の積層体であって、前記面ファスナが、前記本体部の前記幅方向に垂直な長手方向の少なくとも一方の端部に設けられる。
【００１０】
請求項３に記載の発明は、請求項１または２に記載の複数の吸収性物品の積層体であって、前記バックシートが、撥水性または不透液性のプラスチックフィルムである。
【００１１】
請求項４に記載の発明は、請求項３に記載の複数の吸収性物品の積層体であって、前記バックシートが、目付が１０ｇ／ｍ２以上５０ｇ／ｍ２以下の透湿性プラスチックフィルムである。
【００１２】
請求項５に記載の発明は、請求項１ないし４のいずれかに記載の複数の吸収性物品の積層体であって、前記面ファスナの前記両端部において、前記取出口側の前記部位の輪郭が外側に凸となる曲線である。
【００１３】
請求項６に記載の発明は、請求項１ないし５のいずれかに記載の複数の吸収性物品の積層体であって、前記面ファスナの前記両端部の前記取出口側とは反対側の部位が、角部が除去された形状とされる。
【００１５】
請求項７に記載の発明は、請求項１ないし６のいずれかに記載の複数の吸収性物品の積層体であって、前記本体部の前記長手方向の両側の端部のそれぞれに前記面ファスナが設けられる。
【発明の効果】
【００１７】
本発明では、吸収性物品の包装袋からの取り出し時に、面ファスナの破損、および、他の吸収性物品の損傷を防止することができる。
【発明を実施するための最良の形態】
【００１８】
図１は、本発明の一の実施の形態に係る吸収性物品１の構成を示す平面図である。吸収性物品１は、着用者が着用する外装物品である使い捨ておむつの内側（すなわち、着用者側）に取り付けられて着用者からの排泄物を受ける尿取りパッド等の補助吸収具である。図１では、着用者に接する面（すなわち、着用者側）を手前側にして吸収性物品１を描いている。
【００１９】
図１に示すように、吸収性物品１は、略シート状の本体部２、および、本体部２の長手方向（すなわち、図１中の上下方向）のほぼ全長に亘って長手方向に垂直な幅方向の両側に設けられた一対の側壁部３を備える。また、吸収性物品１は、本体部２の長手方向の両側の端部のそれぞれにおいて本体部２の外側（すなわち、着用者側とは反対側）に設けられる略矩形状の面ファスナ４を備える。
【００２０】
図２は、吸収性物品１を図１中に示すＡ−Ａの位置で長手方向に垂直な面で切断した断面図である。図１および図２に示すように、一対の側壁部３のそれぞれには、長手方向に伸びる弾性部材３１が接合されており、図１に示すように吸収性物品１を広げた状態では、弾性部材３１は伸張状態となっている。吸収性物品１では、弾性部材３１が収縮することにより、本体部２の側方において側壁部３が着用者側に向かって立ち上がり、着用時に着用者の足の付け根近傍に当接する立体ギャザーが形成される。なお、各側壁部３には複数の弾性部材３１が設けられてもよい。
【００２１】
側壁部３は、撥水性または不透液性の不織布（例えば、スパンボンド不織布やメルトブロー不織布、ＳＭＳ（スパンボンド・メルトブロー・スパンボンド）不織布）やプラスチックフィルム、あるいは、これらの複合材料により形成される。吸収性物品１の快適性向上の観点からは、側壁部３が通気性を有することが好ましい。弾性部材３１としては、ポリウレタン糸、ポリウレタンフィルム、天然ゴム等が用いられる。
【００２２】
図１および図２に示すように、本体部２は、吸収体である吸収コア２２、吸収コア２２の内側（すなわち、着用者側）の主面を覆うトップシート２１、および、吸収コア２２の外側（すなわち、着用者側とは反対側）の主面を覆うバックシート２３を備える。トップシート２１およびバックシート２３は、ホットメルト接着剤等により吸収コア２２の周囲にて互いに接合され、吸収コア２２の側方には側壁部３が接合される。
【００２３】
トップシート２１は透液性の材料、例えば、親水性繊維により形成された不織布であり、着用者からの排泄物の水分を速やかに捕捉して吸収コア２２へと移動させる。トップシート２１として利用される不織布は、例えば、ポイントボンド不織布やエアスルー不織布、スパンレース不織布であり、これらの不織布を形成する親水性繊維としては通常、セルロースやレーヨン、コットン等が用いられる。なお、トップシート２１として、表面を界面活性剤により親水処理した疎水性繊維（例えば、ポリプロピレン、ポリエチレン、ポリエステル、ポリアミド、ナイロン）にて形成された透液性の不織布が利用されてもよく、また、開孔を有するプラスチックフィルムが利用されてもよい。
【００２４】
吸収コア２２は、親水性繊維（例えば、粉砕したパルプ繊維やセルロース繊維）に粒状の吸水性ポリマー（例えば、ＳＡＰ(Super Absorbent Polymer)）を混合したものをティッシュペーパーや透液性不織布等の被覆シートにより包み込んで形成され、トップシート２１を透過した水分を吸収して迅速に固定する。親水性繊維を包む被覆シートは、親水性繊維および吸水性ポリマーとホットメルト接着剤により接合されて、親水性繊維の型崩れ、および、吸水性ポリマーの脱落（特に、吸水後における脱落）を防止する。
【００２５】
バックシート２３は、撥水性または不透液性のプラスチックフィルムであり、トップシート２１を透過した水分、および、吸収コア２２に一旦吸収された水分が、本体部２の外側にしみ出すのを防止する。吸収性物品１の内側のムレを防止して着用者の快適性を向上するという観点からは、透湿性（すなわち、通気性）を有するプラスチックフィルムがバックシート２３として利用されることが好ましい。バックシート２３の目付は、吸収性物品１の通気性を向上するとともに風合いを柔らかくして着用感を向上するという観点から、５０ｇ／ｍ２以下とされることが好ましく、また、吸収性物品１の製造装置においてバックシート２３を形成するシート部材の取り扱いを容易にするとともに吸収性物品１の通常の使用において破れない強度を保持するという観点から、１０ｇ／ｍ２以上とされることが好ましい。吸収性物品１の通気性および製造時の取り扱いの容易性等の更なる向上という観点からは、バックシート２３の目付は、１０ｇ／ｍ２以上４０ｇ／ｍ２以下とされることがより好ましい。
【００２６】
図１および図２に示すように、面ファスナ４は、本体部２の外側（すなわち、着用者側とは反対側）の領域のうち吸収コア２２が存在する領域において幅方向に伸びており、図２に示すように、本体部２のバックシート２３にホットメルト接着剤等の粘着剤４０により接着されている。面ファスナ４は微小なフック部材を多数有し、着用者に着用される外装物品である使い捨ておむつに吸収性物品１が取り付けられる際に、使い捨ておむつの内側の不織布や布地中の繊維群に着脱可能に止着される。
【００２７】
図３は、トップシート２１および側壁部３を内側にして長手方向の略中央部において２つに折り曲げられた吸収性物品１の斜視図である。図３では、折り目を上側に向けて吸収性物品１を図示している。図２および図３に示すように、面ファスナ４は、幅方向の両側の端部４１を含む全体が本体部２のバックシート２３上において露出している。
【００２８】
図４は、面ファスナ４の一の端部を拡大して示す図である。図４に示すように、面ファスナ４の両側の端部４１の長手方向の両側の部位（すなわち、面ファスナ４の実際の４隅に相当する部位であり、以下、それぞれ、「面ファスナ隅部」という。）４１１は略円弧状に面取りされた形状とされており、これにより、面ファスナ４の両側の端部４１において、面ファスナ隅部４１１の輪郭は外側に凸となる曲線となっている。面ファスナ隅部４１１は、面ファスナ４の端部４１を囲む仮想的に設定した矩形４１１ａに対して、仮想的な直角部（図４中に平行斜線を付して示す部位であり、以下、「仮想角部」または単に「角部」という。）４１２が除去された形状とされ、各仮想角部４１２の長手方向および幅方向の長さ（図４中に符号Ｃｘ，Ｃｙを付す長さ）は共に２ｍｍ以上とされる。
【００２９】
図５は、複数の吸収性物品１が収容された包装体９を示す斜視図であり、図６は、包装体９内部の複数の吸収性物品１の積層体を示す斜視図である。図５に示すように、包装体９は略直方体の包装袋であり、所定の積層方向（すなわち、図５中のＸ方向）に積層されるとともに積層方向に圧縮された状態の略シート状の複数の吸収性物品１を収容する。包装体９では、その上面（すなわち、図５中の（＋Ｚ）側の面）の積層方向の略中央に、吸収性物品１の取り出しに利用される取出口９１が設けられる。取出口９１は、包装体９の上面の一部が脆弱線（例えば、ミシン目）に沿って周囲の部位から切り離されることにより形成される。
【００３０】
図５および図６に示すように、吸収性物品１は、長手方向における略中央部にてトップシート２１がバックシート２３の内側に位置する２つ折りの状態で（すなわち、着用者側であるトップシート２１を内側にして２つ折りにされた状態で）積層方向に積層され、折り目を上側（すなわち、取出口９１側）に向けて包装体９に収容される。２つ折りにされた状態の吸収性物品１では、バックシート２３が（＋Ｘ）側および（−Ｘ）側において外側を向いており、面ファスナ４が、バックシート２３の（＋Ｘ）側および（−Ｘ）側の面（すなわち、２つ折にされた吸収性物品１の両側の主面）の下端側の領域にて隣接する吸収性物品１と対向する。包装体９に収容された状態における吸収性物品１では、面ファスナ４の４つの面ファスナ隅部４１１は、面ファスナ４の両側の端部４１の取出口９１側の部位および取出口９１側とは反対側の部位、ということができ、既述のように、これらの部位が角部が除去された形状とされ、その輪郭が外側に凸となる曲線となっている。
【００３１】
他の吸収性物品１と共に所定の積層方向（すなわち、図５中のＸ方向）に積層された状態で包装体９に収容されている１つの吸収性物品１が包装体９から取り出される際には、当該吸収性物品１が取出口９１を介して積層方向に略垂直な方向（すなわち、図５中のおよそ（＋Ｚ）方向）に引っ張られて取出口９１から取り出される。
【００３２】
上述のように、包装体９内では複数の吸収性物品１が積層されているため、１つの吸収性物品１の取り出しの際には、取り出される吸収性物品１のバックシート２３および面ファスナ４が、隣接する吸収性物品１のバックシート２３と擦れつつ上方に引っ張り上げられる。また、複数の吸収性物品１は包装体９内において積層方向に圧縮されているため、取り出される吸収性物品１とこれに隣接する吸収性物品１との間に生じる摩擦はさらに大きくなる。
【００３３】
仮に、吸収性物品の面ファスナの両端部において、面ファスナ隅部が尖った角部を有する形状であるとすると、吸収性物品の取り出し時に面ファスナ隅部の角部（特に、取り出し時に引っ張られる方向に向いている取出口側の面ファスナ隅部の角部）が、隣接する吸収性物品のバックシートに引っ掛かったり強く擦れることにより、取り出される吸収性物品の面ファスナが剥がれてしまったり、隣接する吸収性物品のバックシートが傷ついたり破れてしまう（例えば、上下方向に断続的に破れてしまう）恐れがある。
【００３４】
吸収性物品１では、面ファスナ４の両側の端部４１において、包装体９に収容された状態における取出口９１側の面ファスナ隅部４１１を角部が除去された形状とすることにより、包装体９からの取り出し時に、面ファスナ隅部４１１が隣接する他の吸収性物品１のバックシート２３に引っ掛かったり強く擦れることを抑制することができる。その結果、取り出される吸収性物品１の面ファスナ４の破損、および、取り出される吸収性物品１に隣接する他の吸収性物品１のバックシート２３の損傷を防止することができる。
【００３５】
また、取出口９１側の面ファスナ隅部４１１の輪郭が外側に凸となる曲線とされることにより、面ファスナ隅部４１１が、隣接する他の吸収性物品１のバックシート２３に引っ掛かったり強く擦れることをより一層抑制することができ、取り出される吸収性物品１の面ファスナ４の破損、および、取り出される吸収性物品１に隣接する他の吸収性物品１のバックシート２３の損傷をより確実に防止することができる。面ファスナ４では、取出口９１側とは反対側の面ファスナ隅部４１１も角部が除去された形状とされているため、吸収性物品１の面ファスナ４の破損、および、他の吸収性物品１のバックシート２３の損傷をさらに確実に防止することができる。
【００３６】
吸収性物品１では、上述のように、面ファスナ４が粘着剤４０により本体部２のバックシート２３に接着されている。面ファスナ４の接合方法としては、他に熱溶着等も考えられるが、バックシート２３の熱損傷の防止等の観点からは、粘着剤４０による接着が好ましい。吸収性物品１の製造では、面ファスナ４の接着面に粘着剤４０を塗布する際に、粘着剤４０が面ファスナ４からはみ出して製造装置に付着することを防止するため、面ファスナ４のエッジ近傍には粘着剤４０を塗布しない場合がある。この場合、面ファスナ４のエッジ近傍の部位は本体部２に接着されないため、吸収性物品１の取り出し時に、面ファスナ隅部４１１が隣接する他の吸収性物品１に引っ掛かりやすくなる。上述のように、包装体９からの取り出し時に面ファスナ隅部４１１が他の吸収性物品１のバックシート２３に引っ掛かったり強く擦れることを抑制することができる吸収性物品１の構造は、このように面ファスナ４が粘着剤４０により本体部２に接着される場合に特に適しているといえる。
【００３７】
複数の吸収性物品１が１つの包装体９に収容される場合、吸収性物品１を１つずつ容易に取り出すという観点からは、取り出す人が他の吸収性物品１を掴むことなく１つの吸収性物品１のみを容易に掴むことができるように、吸収性物品１は、２つ折りにされた折り目を取出口９１側に向けて収容されることが好ましい。この場合、吸収性物品１の取り出しの際に、取り出される吸収性物品１の面ファスナ４と、当該吸収性物品１に隣接する他の吸収性物品１のバックシート２３とが擦れる距離が比較的大きくなる。上述のように、包装体９からの取り出し時に面ファスナ隅部４１１が他の吸収性物品１のバックシート２３に引っ掛かったり強く擦れることを抑制することができる吸収性物品１の構造は、このように吸収性物品１が２つ折りにされた状態で折り目を取出口９１に向けて包装体９に収容される場合に特に適しているといえる。
【００３８】
以上、本発明の実施の形態について説明してきたが、本発明は上記実施の形態に限定されるものではなく、様々な変更が可能である。
【００４０】
吸収性物品１では、面ファスナ４の幅方向の長さは、本体部２の長手方向の端部における吸収コア２２の幅とほぼ等しいが、面ファスナ４の幅方向の長さは上記実施の形態よりも短くてもよい。例えば、複数の短い面ファスナ４が幅方向に配列されてもよい。この場合、複数の面ファスナ４のそれぞれにおいて、面ファスナ隅部が角部が除去された形状とされる。
【００４１】
図５に示す包装体９において、取出口９１が包装体９の上面の（＋Ｘ）側（すなわち、吸収性物品１の積層方向に関する一方の端部側）に設けられている場合、吸収性物品１は（＋Ｘ）側に収容されているものから順に取り出されるため、２つ折りにされた吸収性物品１の（−Ｘ）側の面ファスナ４のみが、隣接する他の吸収性物品１と擦れることとなる。この場合、吸収性物品１では、２つ折りにされた吸収性物品１の（−Ｘ）側の面ファスナ４（すなわち、積層方向に関して取出口９１と反対側の面ファスナ４）の面ファスナ隅部４１１のみが、角部が除去された形状とされていればよい。包装体９では、また、所定の積層方向（すなわち、Ｘ方向）に積層された吸収性物品１が上下方向（すなわち、Ｚ方向）に複数段（例えば、２段）重ねられて収容されてもよい。
【００４２】
面ファスナ４と他の吸収性物品１のバックシート２３との引っかかりをより確実に抑制するという観点からは、面ファスナ隅部４１１の輪郭が外側に凸となる曲線であることが好ましいが、面ファスナ４では、必要に応じて、図４に示す仮想的な矩形４１１ａから直角三角形の仮想角部が除去されることにより、面ファスナ隅部の輪郭が直線状とされてもよい。
【００４３】
吸収性物品１では、面ファスナ４は、着用時の吸収性物品１のずれや捩れを確実に防止するという観点からは、本体部２の長手方向の両側の端部に設けられることが好ましいが、吸収性物品１のずれや捩れを許容範囲内（例えば、尿等の漏出がなく、着用時の不快感もない範囲内）に抑えることができる場合等、面ファスナ４は本体部２の長手方向の少なくとも一方の端部に設けられていればよい。吸収性物品１が、使い捨ておむつ等の内側において着用者の陰茎に装着されて尿を吸収する男性用尿吸収物品である場合には、面ファスナ４は通常、使い捨ておむつに対向する面の上側の端部にのみ設けられる。面ファスナ４は、また、本体部２の長手方向の端部以外の部位（例えば、２つ折りにされた本体部２において、長手方向に関して折り目と端部とのおよそ中央）に設けられてもよい。
【００４４】
吸収性物品１では、バックシート２３は必ずしもプラスチックフィルムには限定されず、撥水性または不透液性の不織布（例えば、スパンボンド不織布やメルトブロー不織布、ＳＭＳ不織布であり、必要に応じて撥水処理が施されてもよい。）がバックシート２３として利用されてもよい。この場合、バックシート２３がプラスチックフィルムである場合に比べて、面ファスナ４の面ファスナ隅部４１１が引っ掛かることにより隣接する吸収性物品１のバックシート２３が破れる可能性は低くなるが、面ファスナ４のフック部材が隣接する吸収性物品１のバックシート２３の繊維に係合することにより、面ファスナ４が本体部２から剥がれてしまう可能性は高くなる。したがって、面ファスナ４の面ファスナ隅部４１１を角部が除去された形状とすることにより、主に、包装体９から取り出される吸収性物品１の面ファスナ４が破損することを防止することができる。
【００４５】
また、バックシート２３として、プラスチックフィルムの外側（すなわち、着用者側とは反対側）に上記の不織布が積層された複合材料等が利用されてもよい。この場合も、バックシート２３が不織布により形成される場合と同様に、面ファスナ４の面ファスナ隅部４１１を角部が除去された形状とすることにより、主に、包装体９から取り出される吸収性物品１の面ファスナ４が破損することを防止することができる。
【図面の簡単な説明】
【００４６】
【図１】吸収性物品の構成を示す平面図である。
【図２】吸収性物品の断面図である。
【図３】吸収性物品の斜視図である。
【図４】面ファスナの拡大図である。
【図５】複数の吸収性物品が収容された包装体を示す斜視図である。
【図６】複数の吸収性物品を示す斜視図である。
【符号の説明】
【００４７】
１    吸収性物品
２    本体部
４    面ファスナ
９    包装体
２１    トップシート
２２    吸収コア
２３    バックシート
４０    粘着剤
４１    端部
９１    取出口
４１１    面ファスナ隅部
【図１】
0004726637.tif 000002
【図２】
0004726637.tif 000003
【図３】
0004726637.tif 000004
【図４】
0004726637.tif 000005
【図５】
0004726637.tif 000006
【図６】
0004726637.tif 000007